(57)【要約】      （修正有）【課題】車椅子のまま容易に浴槽内に入ることができると共に、構造が単純で低コストな介護用浴槽を提供する。【解決手段】側部１６と底部１５とから構成されると共に前記側部１６のうちの一面に開閉部１１が設けられ、この開閉部１１を開くことにより内部に出入りが可能な浴槽本体１０と、側部と底部とから構成された可撓性及び遮水性を有するシート部材から成り、隣り合う側部の境界上部に切込が設けられると共に側部の上端に錘部材が設けられ、浴槽本体１０の内側に配置されるシート浴槽と、を備え、入浴を行う際には錘部材が前記浴槽本体１０の外側に出るようにシート浴槽の側部上端を折り返し、出入りする際には、浴槽本体１０の開閉部１１を開き、シート浴槽の側部を錘部材によって浴槽本体１０の底部１５へと押し下げる。【選択図】図２
0003151137.tif 000002
【実用新案登録請求の範囲】
【請求項１】
側部と底部とから構成されると共に、前記側部のうちの一面に開閉部が設けられ、該開閉部を開くことにより内部に出入りが可能な浴槽本体と、
側部と底部とから構成された可撓性及び遮水性を有するシート部材から成り、隣り合う前記側部の境界上部に切込が設けられると共に、前記側部の上端に錘部材が設けられ、前記浴槽本体の内側に配置されるシート浴槽と、を備え、
入浴を行う際には前記錘部材が、前記浴槽本体の外側に出るように前記シート浴槽の側部上端を折り返し、
出入りする際には、前記浴槽本体の開閉部を開き、前記シート浴槽の側部を前記錘部材によって前記浴槽本体の底部へと押し下げることを特徴とする介護用浴槽。
【請求項２】
前記開閉部が、該開閉部と隣り合う前記浴槽本体の側部に対してヒンジを介して回動することにより開閉する構成であることを特徴とする請求項１に記載の介護用浴槽。
【請求項３】
前記開閉部が嵌め板から成り、
該開閉部を嵌め込むための溝が、少なくとも前記開閉部と隣り合う前記浴槽本体の側部に設けられ、
前記溝に前記開閉部を嵌め込み、前記浴槽本体に対して前記開閉部を着脱自在とすることにより開閉する構成であることを特徴とする請求項１に記載の介護用浴槽。
【考案の詳細な説明】
【技術分野】
【０００１】
本考案は、高齢者や身体障害者等の被介護者の、入浴介護に適した介護用浴槽に関する。
【背景技術】
【０００２】
これまで、被介護者、特に自立的な移動が困難な被介護者を入浴させるためには、入浴用リフト等を備える大掛かりな専用の入浴設備が必要だった。
【考案の概要】
【考案が解決しようとする課題】
【０００３】
しかしながら、上記した専用の入浴設備は当然ながら高価であり、また、これらを利用する際には複数人の介護者を必要とした。そのため、このような入浴設備を利用できない場合には、入浴用車椅子等を用いて、洗髪や体洗いに加え掛け湯、足浴を行う程度にとどまり、十分な入浴ができないという問題があった。
【０００４】
そこで、本考案は、上記状況に鑑みて、車椅子のまま容易に浴槽内に入ることができると共に、構造が単純で低コストな介護用浴槽を提供することを目的とする。
【課題を解決するための手段】
【０００５】
上記課題を解決するために、本考案は、側部と底部とから構成されると共に、前記側部のうちの一面に開閉部が設けられ、この開閉部を開くことにより内部に出入りが可能な浴槽本体と、側部と底部とから構成された可撓性及び遮水性を有するシート部材から成り、隣り合う前記側部の境界上部に切込が設けられると共に、前記側部の上端に錘部材が設けられ、前記浴槽本体の内側に配置されるシート浴槽と、を備え、入浴を行う際には前記錘部材が、前記浴槽本体の外側に出るように前記シート浴槽の側部上端を折り返し、出入りする際には、前記浴槽本体の開閉部を開き、前記シート浴槽の側部を前記錘部材によって前記浴槽本体の底部へと押し下げることを特徴とする介護用浴槽を提供する。
【０００６】
ここで、前記開閉部は、その開閉部と隣り合う前記浴槽本体の側部に対してヒンジを介して回動することにより開閉する構成であるのが良い。あるいは、前記開閉部が嵌め板から成り、この開閉部を嵌め込むための凹溝が、少なくとも前記開閉部と隣り合う前記浴槽本体の側部に設けられ、前記凹溝に前記開閉部を嵌め込み、前記浴槽本体に対して前記開閉部を着脱自在とすることにより開閉する構成としても良い。
【考案の効果】
【０００７】
本考案の介護用浴槽によれば、被介護者を車椅子に乗せたままリフトなどを用いずに容易に浴槽内に運び入れることが可能である。そのため、少ない介護者で入浴介護が可能になると共に、その手間とストレスを軽減することができる。また、構造も単純であり、コストも抑えることができる。
【図面の簡単な説明】
【０００８】
【図１】本考案の一実施形態に係る介護用浴槽の概略を示す全体模式図である。
【図２】本考案の一実施形態に係る介護用浴槽の浴槽本体の概略を示す斜視図である。
【図３】本考案の一実施形態に係る介護用浴槽の開閉部の動作を示す断面図（図２のＡ−Ａ線断面図）である。
【図４】本考案の一実施形態に係る介護用浴槽のシート浴槽の概略を示す斜視図である。
【図５】本考案の一実施形態に係る介護用浴槽のシート浴槽の使用方法について説明するための模式図である。
【図６】本考案の一実施形態に係る介護用浴槽を用いた入浴の手順を示す模式図（その１）である。
【図７】本考案の一実施形態に係る介護用浴槽を用いた入浴の手順を示す模式図（その２）である。
【図８】本考案の一実施形態に係る介護用浴槽を用いた入浴の手順を示す模式図（その３）である。
【図９】本考案の別の実施形態に係る介護用浴槽の浴槽本体の概略を示す斜視図である。
【考案を実施するための形態】
【０００９】
以下、本考案の実施の形態について、図面を参照しながら詳細に説明する。
【００１０】
図１は、本考案の一実施形態に係る介護用浴槽の概略を示す全体模式図であり、浴槽内に水を溜めた状態を図示している。この図に示すように、介護用浴槽１は、浴槽本体１０と、この浴槽本体１０に重ねられるシート浴槽２０と、から構成されている。
【００１１】
ここで、図２は浴槽本体１０の概略を示す斜視図、図３は浴槽本体１０の開閉部の動作を示す断面図（図２のＡ−Ａ線断面図）である。これらの図に示すように、浴槽本体１０は底部１５と側部１６により上部の開いた箱状に形成されており、底部１５の下部四隅には脚部１７が設けられている。脚部１７は、高さの微調整が可能であるのが良い。また、浴槽本体１０の底部１５には、溜めた水を抜くための穴（排水口）１３が設けられている。底部１５、側部１６及び脚部１７は、好適には木材又はプラスチックから構成される。
【００１２】
浴槽本体１０を構成する側部１６のうち、一面は車椅子を内部に運び入れるための開閉部１１となっている。開閉部１１は、隣り合う側部１６と接して垂直になる閉位置（図３点線部参照）から、上端が床に当たる開位置（図３実線部参照）まで、ヒンジ１２により回動させることが可能である。開閉部１１と、これに隣り合う側部１６及び底部１５との接触部分には、ゴム等の弾性体から成るパッキン（図示せず）が設けられている。また、開閉部１１とこれに隣り合う側部１６には、開閉部１１と側部１６とを強く圧着することが可能な密閉ハンドル１４を設ける。この密閉ハンドル１４とパッキンにより外部への水漏れを防止する。開閉部１１を垂直に立てた上で密閉ハンドル１４を締めることにより、開閉部１１を上記した閉位置に固定することができる。また、開閉部１１を開位置にするためには、密閉ハンドル１４を外して開閉部１１を上端が床に付くまで倒せば良い。
【００１３】
図４は、シート浴槽２０の概略を示す斜視図である。シート浴槽２０は、漏らさずに内部に水を溜めることができるよう遮水性のシート部材２１（例えばポリ塩化ビニル等の樹脂）から構成される。このシート部材２１は、後述するように、浴槽本体１０の底部１５に押し下げることができるよう、可撓性を有する素材から成る。
【００１４】
図４に示すように、シート浴槽２０は、底部２５と側部２６により上部の開いた箱状に形成される。このとき、シート浴槽２０の奥行き寸法と幅寸法は浴槽本体１０の内側寸法と同じかやや小さい寸法に形成する。但し高さ寸法は、後述する折り返し部２７〔図５（ａ）参照〕の寸法を考慮して、浴槽本体１０より十分に大きく（長く）形成する。シート浴槽２０は、適切な形状にカットしたシート部材２１を接着剤等で接着あるいは縫製することにより、図４に示すような箱状に形成されても良いが、金型による成形加工によってシート部材２１を箱状に形成しても良い。
【００１５】
シート浴槽２０の底部２５には、溜めた水を抜くための穴（排水口）２３が設けられている。この排水口２３は、浴槽本体１０の排水口１３と同径かやや小さい径とし、その位置は浴槽本体１０の排水口１３が設けられた位置と重なるようにする。また、底部２５から外側に突出する突出部２３Ａを備えているのが好ましい。この突出部２３Ａを浴槽本体１０の排水口１３に挿入することにより、浴槽本体１０への水漏れを防止することができる。
【００１６】
シート浴槽２０の隣り合う側部２６の境界上端には、各々切込２４が設けられている。また、各側部２６の上端の縁に沿って、長尺な板状の錘部材２２が配置されている。
【００１７】
図５は、上記のようなシート浴槽２０の使用方法について説明するための模式図である。まず、入浴時には図５（ａ）のように、浴槽本体１０の内側にシート浴槽２０を入れる。シート浴槽２０の上端部は、切込２４のある部分を折り返して錘部材２２を浴槽本体１０の外側に垂らす。錘部材２２の重さは、折り返し部２７が安定し、多少の動きがあってもシート浴槽２０が浴槽本体１０に対してずれない程度とする。浴槽１内に水を溜める場合は、排水口１３及び２３に栓２８をする。
【００１８】
浴槽１内に被介護者が出入りする際には、図５（ｂ）のように錘部材２２を浴槽本体１０内に入れてシート部材２１の側部２６ごと押し下げ、図５（ｃ）のように錘部材２２を浴槽本体１０の底部１５に押し付ける。そして、この状態で開閉部１１を開き、シート部材２１の側部２６と錘部材２２を乗り越えて浴槽１内へ出入りする。
【００１９】
上記のように構成したため、本考案の介護用浴槽１を用いて入浴する際には、以下のような手順で行う。図６、図７、図８は、本考案の介護用浴槽１を用いた入浴の手順を示す模式図である。
【００２０】
まず、図６（ａ）に示すように、浴槽本体１０内にシート浴槽２０をセットし、錘部材２２を浴槽本体１０の底部１５に押し下げておく。次いで、図６（ｂ）に示すように、浴槽本体１０の開閉部１１を開く。被介護者Ｕは、車椅子ごとシート部材２１の側部２６と錘部材２２を乗り越えて、浴槽１内に運び入れられる。被介護者Ｕを浴槽１内に運んだら、図６（ｃ）に示すように、開閉部１１を閉じる。次いで図７（ａ）に示すように、押し下げておいた錘部材２２を引き上げてシート浴槽２０の側部２６を浴槽本体１０の外側へ折り返し、浴槽本体１０の内側全体がシート部材２１で覆われるようにする。この状態で被介護者Ｕの入浴を行う。浴槽１内に水（湯）を入れる場合は、図７（ｂ）に示すように、排水口１３、２３に栓２８をする。入浴が終了したら、栓２８を外して浴槽１内の水（湯）を排水口１３、２３から排出し、図８（ａ）に示すように再び錘部材２２を浴槽本体１０内に入れて押し下げる。十分に押し下げたら図８（ｂ）に示すように、浴槽本体１０の開閉部１１を開き、被介護者Ｕを車椅子ごと浴槽１から運び出す。
【００２１】
なお、上記の実施形態では、浴槽本体１０の開閉部１１はヒンジにより開閉する構成としたが、開閉部１１を嵌め板にしてこれを取り外しすることにより開閉する構成としてもよい。その構成について図９に示す。
【００２２】
図９に示すように、浴槽本体３０の開閉部３１は、一枚板の嵌め板から成る。そしてこの開閉部３１と隣り合う側部３６には、開閉部３１を嵌め込むための凹溝３２が形成されている。図示は省略するが、凹溝３２内、あるいは開閉部３１の凹溝３２と接する部分のどちらか、又は双方に、水漏れを防止するためのパッキンを設けるのが好適である。
【００２３】
そこで、入浴を行う際には開閉部３１を側部３６の凹溝３２に嵌め込んで閉じ、被介護者が浴槽に出入りする際には、側部３６の凹溝３２でスライドさせて開閉部３１を取り外す。これにより容易に浴槽本体３０の開閉を行うことができる。
【００２４】
なお、ここでは側部３６にのみ凹溝３２を設ける例を示したが、底部３５にも同様に凹溝を設けるようにしても良い。また、開閉部３１にも凹凸を設けるようにしても良い。この場合、側部３６（又は側部３６と底部３５）にもこれと合致する凹凸を設け、開閉部３１をスライドさせて着脱できるようにする。
【００２５】
上記のように構成したため、本考案の介護用浴槽によれば、被介護者を車椅子に乗せたままリフトなどを用いずに容易に浴槽内に運び入れることが可能である。そのため、少ない介護者で入浴介護が可能になると共に、その手間とストレスを軽減することができる。また、構造も単純であり、コストも抑えることができる。
【００２６】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００２７】
本考案は、高齢者や身体障害者等の被介護者の、入浴介護に適した介護用浴槽に関し、産業上の利用可能性を有する。
【符号の説明】
【００２８】
１      介護用浴槽
１０    浴槽本体
１１    開閉部
１２    ヒンジ
１３    排水口
１４    密閉ハンドル
１５    底部
１６    側部
１７    脚部
２０    シート浴槽
２１    シート部材
２２    錘部材
２３    排水口
２３Ａ  突出部
２４    切込
２５    底部
２６    側部
２７    折り返し部
２８    栓
３０    浴槽本体
３１    開閉部
３２    凹溝
３５    底部
３６    側部
【図１】
0003151137.tif 000003
【図２】
0003151137.tif 000004
【図３】
0003151137.tif 000005
【図４】
0003151137.tif 000006
【図５】
0003151137.tif 000007
【図６】
0003151137.tif 000008
【図７】
0003151137.tif 000009
【図８】
0003151137.tif 000010
【図９】
0003151137.tif 000011